(57)【要約】【課題】天井下地構成材または壁面の局所的に応力が集中するのを防止できる天井構造を提供する。【解決手段】天井部に設けられた吊材（吊ボルト１）と、吊材１に支持された天井下地１０と、天井下地１０に支持された天井板２０と、壁面５に沿って配置された通し材３０とを備えた天井構造であって、天井下地１０は、壁面５と交差する方向に沿って延在する複数の天井下地構成材（野縁受け１１および野縁１２）を有し、通し材３０は、複数の天井下地構成材１１，１２の端部同士を連結するとともに、天井下地構成材１１，１２の端部よりも壁面５側に張り出しており、さらに、天井下地構成材１１，１２の上面または下面に当接する接合板部３１と、天井下地構成材１１，１２の端面に対向する対向板部３２とを備えていることを特徴とする。【選択図】図１
2013217152.tif 000002
【特許請求の範囲】
【請求項１】
天井部に設けられた吊材と、前記吊材に支持された天井下地と、前記天井下地に支持された天井板と、壁面に沿って配置された通し材とを備えた天井構造であって、
前記天井下地は、壁面と交差する方向に沿って延在する複数の天井下地構成材を有し、
前記通し材は、複数の前記天井下地構成材の端部同士を連結するとともに、前記天井下地構成材の端部よりも前記壁面側に張り出している
ことを特徴とする天井構造。
【請求項２】
前記通し材は、前記天井下地構成材の上面または下面に当接する接合板部と、前記天井下地構成材の端面に対向する対向板部とを備えており、
前記対向板部は、前記壁面と平行に配置されている
ことを特徴とする請求項１に記載の天井構造。
【発明の詳細な説明】
【技術分野】
【０００１】
本発明は、天井構造に関する。
【背景技術】
【０００２】
従来の天井構造としては、天井板を支持する天井下地を吊ボルトで吊り下げたものが知られている（例えば特許文献１参照）。吊ボルトは、上階床スラブなどの支持構造物から垂設されており、その下端部に天井下地を構成する複数の天井下地構成材が接続されている。天井下地構成材は、直線状または格子状に組み付けられている。天井下地構成材を格子状が組み付けられている場合は、平行配置された複数の野縁受けの下側に複数の野縁を取り付ける。この野縁は、野縁受けに対して直角方向に延在している。
【先行技術文献】
【特許文献】
【０００３】
【特許文献１】特開２０１０−２５５３０８号公報
【発明の概要】
【発明が解決しようとする課題】
【０００４】
従来の天井構造では、図５に示すように、天井の周縁部（天井周りの壁面１１０に近接する部分）において、天井下地構成材１００の小口面１０５が壁面１１０に対向するようになっている。ここで、天井下地構成材１００は、長さ寸法の誤差や施工時の取付位置の誤差によって、小口面１０５が壁面１１０に当接している天井下地構成材１００と、小口面１０５が壁面１１０から離間している天井下地構成材１００が混在していた。
【０００５】
このような場合において、地震等により天井に揺れが生じると、壁面１１０に天井下地構成材１００が当接している部分に応力が集中する。すると、壁面１１０に当接している天井下地構成材１００に座屈が生じたり、壁面１１０の天井下地構成材１００が当接している部分に局所的な損傷が発生してしまうおそれがあった。
【０００６】
以上のような観点から、本発明は、天井下地構成材または壁面に局所的な応力が集中するのを防止できる天井構造を提供することを課題とする。
【課題を解決するための手段】
【０００７】
前記課題を解決するための請求項１に係る発明は、天井部に設けられた吊材と、前記吊材に支持された天井下地と、前記天井下地に支持された天井板と、壁面に沿って配置された通し材とを備えた天井構造であって、前記天井下地は、壁面と交差する方向に沿って延在する複数の天井下地構成材を有し、前記通し材は、複数の前記天井下地構成材の端部同士を連結するとともに、前記天井下地構成材の端部よりも前記壁面側に張り出していることを特徴とする天井構造である。
【０００８】
このような構成によれば、地震などにより天井に揺れが生じた場合でも、通し材が壁面に接触するので、天井下地構成材が壁面に接触するのを防止できる。通し材は壁面に沿って配置されているので、天井の揺動時に壁面に作用する応力を分散でき、天井下地構成材および壁面に局所的な応力が集中するのを防止できる。その結果、壁面に局所的な損傷が発生し難くなる。
【０００９】
請求項２に係る発明は、前記通し材が、前記天井下地構成材の上面または下面に当接する接合板部と、前記天井下地構成材の端面に対向する対向板部とを備えており、前記対向板部は、前記壁面と平行に配置されていることを特徴とする。このような構成によれば、天井の揺動時に、通し材の対向板部が壁面に面接触するので、天井下地材から壁面に作用する応力をより一層分散することができる。
【発明の効果】
【００１０】
本発明に係る天井構造によれば、天井が壁面に衝突する際に、壁面に作用する応力を分散できるので、天井下地構成材または壁面に局所的な応力が集中するのを防止でき、その結果、壁面に局所的な損傷が発生し難くなる。
【図面の簡単な説明】
【００１１】
【図１】（ａ）は本発明の実施形態に係る天井構造を示した斜視図、（ｂ）は天井構造の隅部を示した拡大斜視図である。
【図２】本発明の実施形態に係る天井構造の野縁と通し材との取り合いを示した断面図である。
【図３】本発明の実施形態に係る天井構造の野縁受けと通し材との取り合いを示した断面図である。
【図４】本発明の実施形態に係る天井構造と壁面の衝突状態を示した概略図である。
【図５】従来の天井構造と壁面の衝突状態を示した概略図である。
【発明を実施するための形態】
【００１２】
本発明の実施形態に係る天井構造について図面を参照しつつ説明する。本実施形態では、天井下地構成材が格子状に組み付けられた場合を例示して、天井構造の構成を説明する。なお、本実施形態においては、図１に示したＸ，Ｙ，Ｚ軸方向を基準にして説明する。
【００１３】
本実施形態に係る天井構造は、図１に示すように、複数の吊ボルト１（吊材）と、天井下地１０と、天井板２０（図２および図３参照）と、通し材３０と、を備えて構成されている。吊ボルト１は、上方の上階床スラブ（図示せず）の下面からＺ方向に垂下されている。吊ボルト１は長尺のボルト材にて構成されている。
【００１４】
天井下地１０は、複数の吊ボルト１によって支持されている。天井下地１０は、Ｘ軸方向に延在する第一の天井下地構成材としての野縁受け１１と、Ｙ軸方向に延在する第二の天井下地構成材としての野縁１２と、を備えてなる。野縁受け１１は、断面コ字形状を呈するアルミニウム製のＣ型チャンネル材にて構成されている。野縁受け１１は、コ字の開口部分が横向きになるように配置され、吊ボルト１の下端部に設けられた吊り金具２によって吊ボルト１に係止されている。野縁１２は、断面Ｃ字形状を呈するアルミニウム製のリップ付きＣ型チャンネル材にて構成されている。野縁１２は、Ｃ字の開口部分が上向きになるように配置され、クリップ型の取付金具３によって野縁受け１１に係止されている。
【００１５】
野縁受け１１および野縁１２は、それぞれ複数設けられており、格子状に組み付けられている。野縁受け１１および野縁１２は、壁面５（図２および図３参照）と交差する方向に沿って延在している。この天井下地１０を、平面矩形の部屋に設置する場合には、野縁受け１１と野縁１２は、壁面５に対してそれぞれ直交する方向に沿って延在している。
【００１６】
天井板２０は、野縁１２の下面にビス止めされている。複数の天井板２０で天井面が形成されており、天井面の周縁部（壁面５に隣接する天井面全体の周縁部）には、回り縁２１が設けられている。
【００１７】
通し材３０は、野縁受け１１の端部同士または野縁１２の端部同士を連結する部材である。通し材３０は、野縁受け１１の端部または野縁１２の端部よりも壁面５側に張り出している。通し材３０は、接合板部３１と対向板部３２とを備えている。接合板部３１は、野縁受け１１の上面または野縁１２の下面に当接する。対向板部３２は、野縁受け１１または野縁１２の端面（小口面）に対向する。通し材３０は、断面Ｌ字形状を呈する例えばスチール製のアングル材にて構成されている。通し材３０は、壁面５に沿って（本実施形態では壁面５に平行に）配置されている。通し材３０は、断面Ｌ字の一方の面が接合板部３１となり、他方の面が対向板部３２となる。
【００１８】
通し材３０を野縁１２の端部に設ける場合、図２に示すように、通し材３０は、接合板部３１が対向板部３２の下側になり、対向板部３２が接合板部３１の端から立ち上がる。接合板部３１は、野縁１２の下面に当接させ、下側からビス止めすることにより、野縁１２に固定する。対向板部３２の内側面は、野縁１２の端面と隙間をあけて配置する。野縁１２の下面には天井板２０を接合し、接合板部３１の下面に天井板２０および回り縁２１の上面を当接させる。対向板部３２の外側面は、壁面５に当接しており、回り縁２１の外周端面と面一になっている。対向板部３２の外側面は、部屋の全周において、壁面５に当接している。なお、対向板部３２は、必ずしも壁面５に当接している必要はなく、僅かな隙間をあけて配置されてもよい。対向板部３２の外側面と壁面との隙間（クリアランス）は、部屋の全周において、均一であるのが好ましい。また、対向板部３２は、回り縁２１よりも壁面５側に張り出していれば、回り縁２１と面一でなくてもよい。
【００１９】
通し材３０を野縁受け１２の端部に設ける場合、図３に示すように、通し材３０は、接合板部３１が対向板部３２の上側になり、対向板部３２が接合板部３１の端から垂れ下がる。接合板部３１は、野縁受け１１の上面に当接させ、上側からビス止めすることにより、野縁受け１１に固定する。対向板部３２の内側面は、野縁受け１１の端面と隙間をあけて配置する。対向板部３２の外側面は、壁面５に当接しており、下方の回り縁２１の外周端面と面一になっている。なお、対向板部３２は、必ずしも壁面５に当接している必要はなく、僅かな隙間をあけて配置されてもよい。また、対向板部３２は、回り縁２１よりも壁面５側に張り出していれば、回り縁２１と面一でなくてもよい。
【００２０】
通し材３０は、壁面５の横幅寸法より僅かに短く、壁面５の両サイドに位置する直交壁面に干渉しない長さ寸法を有している。図１の（ｂ）に示すように、Ｙ軸方向に延在する通し材３０の長手方向端部は、野縁受け１１と平行な壁面（野縁１２の端面と対向する壁面）と僅かな隙間をあけて対向している。また、Ｘ軸方向に延在する通し材３０の長手方向端部は、野縁１２と平行な壁面（野縁受け１１の端面と対向する壁面）と僅かな隙間をあけて対向している。これによって、野縁受け１１の端部に設けられた通し材３０の端部と、野縁１２の端部に設けられた通し材３０の端部とが干渉することはない。
【００２１】
以上のような構成の天井構造によれば、図４に示すように、地震などにより天井に揺れが生じた場合でも、壁面５に沿って設けられた通し材３０が壁面５に接触するので、天井下地構成材が局所的に壁面５に接触するのを防止できる。これによって、天井下地構成材に大きな応力が作用することはなく、天井下地構成材の座屈を防止することができる。また、壁面５に局所的な損傷が発生し難くなる。
【００２２】
特に、本実施形態では、通し材３０は、対向板部３２を備えており、この対向板部３２が面で壁面５に接触する（面接触する）ので、天井の揺動時に壁面５に作用する応力を広く分散して、壁面５に掛かる面圧を大幅に低減することができる。したがって、壁面５への局所的な損傷の発生を抑制できる。
【００２３】
また、通し材３０が、壁面５から離間して配置されていた場合であっても、天井の揺動時に通し材３０が広い面積で壁面５に衝突するので、衝突力を分散させることができる。これによって、天井下地構成材（野縁受け１１または野縁１２）の座屈を防止することができるとともに、壁面５に局所的な損傷が発生し難くなる。
【００２４】
また、本実施形態では、天井の揺動時の水平力を壁面５で受けることになるので、天井下地材を吊り下げる上階床スラブへの負担を低減できる。さらに、このような構成によれば、水平力を上階床スラブへ伝達するためのブレースなどの部材を削減できるので、天井構造全体の軽量化を達成できる。
【００２５】
なお、部屋の面積が大きいときなど、天井の揺動時の水平力が大きい場合は、壁面で大きい水平力を受けるために、壁面を通常の構造よりも補強する。壁面の補強は、例えばスタッドや木角材などの壁下地材の配置ピッチを細かくしたり、部材寸法を大きくしたり、壁仕上げ材を厚くしたりする。また、壁下地材の上端部と上部固定部（上階床スラブなどの構造体）との固定部分を補強してもよい。
【００２６】
さらに、通し材３０の対向板部３２の内側面が野縁受け１１の端面と隙間をあけて配置されているので、壁面５からの応力は、対向板部３２から接合板部３１を介して、野縁受け１１または野縁１２に伝達される。このとき、接合板部３１または対向板部３２が変形するようにすれば、通し材３０においても応力を吸収できるので、天井下地構成材に作用する応力を低減することができる。
【００２７】
また、通し材３０は、対向板部３２に直交する接合板部３１を備えているので、隣り合う野縁受け１１同士または野縁１２同士の端部の位置が揃っていなくても、接合板部３１の接触位置を適宜調整することで、対向板部３２を壁面５に対して容易に平行に配置することができる。
【００２８】
以上、本発明を実施するための形態について説明したが、本発明は前記の実施形態に限定されず、本発明の趣旨を逸脱しない範囲で、材質、形状や大きさなど適宜設計変更が可能である。例えば、前記実施形態では、通し材３０は、断面Ｌ字のアングル材であるが、この形状に限定されるものではない。例えば、断面コ字状や平板状であっても、壁面に平行であって、壁面側に張り出していれば一定の作用効果は得られる。
【００２９】
また、野縁受け１１や野縁１２の形状や材質は、前記実施形態に限定されるものではなく、ステンレス製であってもよいし、木製であってもよい。木製の場合は角材となる。さらに、前記実施形態では、野縁受け１１と野縁１２は壁面５に対して直交しているが、部屋の形状によっては、直交しない場合もある。この場合、通し材は壁面に沿って設けられていればよい。
【符号の説明】
【００３０】
１      吊ボルト（吊材）
５      壁面
１０    天井下地
１１    野縁受け（天井下地構成材）
１２    野縁（天井下地構成材）
２０    天井板
３０    通し材
３１    接合板部
３２    対向板部
【図１】
2013217152.tif 000003
【図２】
2013217152.tif 000004
【図３】
2013217152.tif 000005
【図４】
2013217152.tif 000006
【図５】
2013217152.tif 000007